(57)【特許請求の範囲】
【請求項１】
放送波を受信する受信部と、
所定のサーバへ送信する文字情報が記憶された記憶部と、
前記放送波を受信中に、前記文字情報の送信を指示する信号が検出された場合、前記記憶部から読み出した前記文字情報に前記放送波から得た番組の情報を追加して前記サーバへ送信する情報出力部と
を備える電子機器。
【請求項２】
前記記憶部に前記文字情報が記憶されているか否かを検出する検出部を備え、
前記情報出力部は、前記検出部により前記文字情報が記憶されていることが検出された場合に前記記憶部の文字情報を前記サーバへ送信する請求項１に記載の電子機器。
【請求項３】
前記文字情報の送信を指示する信号は、リモートコントローラに設けられた投稿専用のキーの操作により前記リモートコントローラから出力された信号である請求項１に記載の電子機器。
【請求項４】
前記送信する文字情報を指定可能な指定部を備える請求項１に記載の電子機器。
【請求項５】
前記リモートコントローラから出力される信号の操作は、投稿指示、電源ＯＮ指示、受信チャンネル変更指示、電源ＯＦＦ指示のいずれかの操作を含む請求項３に記載の電子機器。
【請求項６】
前記送信する文字情報を前記記憶部に記憶するための設定画面を表示する請求項１に記載の電子機器。
【請求項７】
放送波を受信部が受信するステップと、
所定のサーバへ送信する文字情報を記憶部に記憶するステップと、
前記放送波を受信中に、前記文字情報の送信を指示する信号が検出された場合、前記記憶部から読み出した前記文字情報に前記放送波から得た番組の情報を追加して前記サーバへ送信するステップと
を有する電子機器の制御方法。
【請求項８】
放送波を受信する受信部と、
所定のサーバへ送信する文字情報が記憶された記憶部と、
前記放送波を受信中に、前記文字情報の送信を指示する信号が検出された場合、前記記憶部から読み出した前記文字情報に前記放送波から得た番組の情報を追加して前記サーバへ送信する情報出力部
として電子機器を機能させる電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、ソーシャル・ネットワーキング・サービス（Ｓｏｃｉａｌ  ｎｅｔｗｏｒｋｉｎｇ  ｓｅｒｖｉｃｅ、ＳＮＳ）が普及している。
【０００３】
上記ソーシャル・ネットワーキング・サービス（ＳＮＳ）は、社会的ネットワークをインターネット上で構築するサービスである。
【０００４】
ユーザは、例えば、パーソナルコンピュータ（ＰＣ）や携帯型端末等の電子機器を用い、上記ＳＮＳにアクセスすることが可能である。
【０００５】
また、ソーシャル・ネットワーキング・サービス（ＳＮＳ）は、人と人とのコミュニケーションを目的にしており、例えば、投稿（ｂｌｏｇ  ｐｏｓｔ）機能等により、人との繋がりを通じて新たな人間関係を構築する場を提供している。
【０００６】
また、近年、放送番組を視聴可能なテレビ等の電子機器もインターネットに接続されるようになり、放送番組を視聴しながら上記ソーシャル・ネットワーキング・サービス（ＳＮＳ）に投稿したいという要求があった。
【０００７】
例えば、テレビ等の電子機器を操作可能なリモートコントローラ（リモコン）からＳＮＳサーバに、ブログ（ｂｌｏｇ）等を投稿（ｐｏｓｔｉｎｇ）する技術が開示されている。
【０００８】
しかし、例えば、上記放送番組に関する投稿（ｐｏｓｔｉｎｇ）を行なう場合は、上記ソーシャル・ネットワーキング・サービス（ＳＮＳ）に投稿（ｐｏｓｔｉｎｇ）する前に、上記リモートコントローラが上記テレビ等の電子機器と同期をとる必要があり、システム構成が煩雑になることが問題になっていた。
【０００９】
このため、例えば、ソーシャル・ネットワーキング・サービス（ＳＮＳ）システムの投稿（ｐｏｓｔｉｎｇ）機能を備える電子機器において、システム構成の煩雑さを低減することが課題になっていた。
【先行技術文献】
【特許文献】
【００１０】
【特許文献１】米国登録特許第７５１９６５８号公報
【発明の概要】
【発明が解決しようとする課題】
【００１１】
ソーシャル・ネットワーキング・サービス（ＳＮＳ）システムの投稿（ｐｏｓｔｉｎｇ）機能を備える電子機器において、システム構成の煩雑さを低減することが課題になっていた。
【課題を解決するための手段】
【００１２】
実施形態の電子機器は、放送波を受信する受信部を備える。
【００１３】
また、電子機器は、所定のサーバへ送信する文字情報が記憶された記憶部を備える。
【００１４】
また、電子機器は、前記放送波を受信中に、前記文字情報の送信を指示する信号が検出された場合、前記記憶部から読み出した前記文字情報に前記放送波から得た番組の情報を追加して前記サーバへ送信する情報出力部を備える。
【図面の簡単な説明】
【００１６】
【図１】実施形態に係わる電子機器（テレビ）の外観を示す図。
【図２】実施形態に係わる電子機器（テレビ）の構成を示すブロック図。
【図３】実施形態に係わる電子機器（テレビ）に用いられるリモートコントローラを示す図。
【図４】実施形態に係わる電子機器（テレビ）の動作を説明する図。
【図５】実施形態に係わる電子機器（テレビ）の表示画面に出力される「投稿情報設定画面」を示す図。
【図６】実施形態に係わる電子機器（テレビ）において、「投稿情報」が設定される動作を示すフローチャート。
【図７】実施形態に係わる電子機器（テレビ）において、設定された投稿情報に基づいて、受信した放送番組の投稿情報を抽出し、出力する動作を示すフローチャート。
【図８】他の実施形態に係わる電子機器（テレビ）において、設定された投稿情報に基づいて、受信した放送番組の投稿情報を抽出し、出力する動作を示すフローチャート。
【発明を実施するための形態】
【００１７】
以下、図面を参照し、実施の形態を説明する。
【００１８】
図１は、実施形態に係わる電子機器（テレビ）の外観を示す図である。
【００１９】
ここでは、電子機器１の一例としてテレビを用いて説明を行うが、この実施形態は、パーソナルコンピュータ（ＰＣ）や携帯型端末等の電子機器に適用することも可能である。
【００２０】
この実施形態においては、電子機器（テレビ）１は、例えば、ユーザによってリモートコントローラ（リモコン）２１が操作される。このリモコン２１から出力されたリモコン信号が電子機器（テレビ）１の操作受信部２０で受信される。
【００２１】
リモコン信号を受信した電子機器（テレビ）１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２２】
また、この電子機器（テレビ）１は、例えば、ＵＳＢ端子等で外付けされる外部記憶機器（ＨＤＤ等）を備えている（図示せず）。そして、例えば、映像出力装置１で受信された放送を、この外部記憶機器に録画することが可能である。
【００２３】
また、この電子機器（テレビ）１は、この電子機器（テレビ）１に接続、あるいは、内蔵されるバッテリを備えている（図示せず）。
【００２４】
このバッテリは、例えば、商用電源から給電を受け、充電することが可能である。
【００２５】
この実施の形態に係る電子機器（テレビ）１は、通常、商用電源（ＡＣ電源、図示せず）から給電を受け、動作するが、例えば、商用電源が停電し、給電が受けられない場合等に、このバッテリ３０からの給電に切替えて、動作を行なうことが可能である。
【００２６】
そして、この実施形態において、電子機器１は、例えば、後述するチューナ３等を用い、放送番組を受信し、例えば、表示画面８に出力する。
【００２７】
ユーザは、この放送番組を視聴する。そして、例えば、この放送番組を視聴中に、この放送番組に関する内容をソーシャル・ネットワーキング・サービス（ＳＮＳ）に投稿したいが、この放送番組の視聴は中断したくない。
【００２８】
そこで、この実施形態においては、電子機器（テレビ）１は、後述するように、予め設定された投稿機能を備え、例えば、ユーザのリモコン２１操作に応じて、つぶやく内容（投稿情報、または投稿内容）を設定することが可能である。
【００２９】
例えば、ユーザがリモコン２１に設けられた「つぶやき」キー３３を押下操作すると、リモコン２１は、この「つぶやき」キー３３の押下操作に応じた所定の信号を出力する。
【００３０】
電子機器（テレビ）１は、上記予め設定された信号（例えば、リモートコントローラ２１から出力された所定の信号）の受信を検出する。
【００３１】
そして、電子機器（テレビ）１は、上記信号受信が検出された場合に、例えば、電子機器（テレビ）１に予め設定された投稿情報（図５）を取得する。
【００３２】
また、電子機器（テレビ）１は、上記設定に基づいて、上記受信した放送番組の上記投稿情報を抽出し、出力する。
【００３３】
なお、ここでは、電子機器（テレビ）１は表示画面８を含む構成になっているが、例えば、電子機器（テレビ）１と表示画面８が別体に構成されても良い。
【００３４】
図２は、実施形態に係わる電子機器の構成を示すブロック図である。
【００３５】
この実施形態においては、制御部１１はＣＰＵ（１２）を備えている。そして、ＣＰＵ（１２）は電子機器（テレビ）１を制御する。また、ＲＡＭ（１３）、ＲＯＭ（１４）、フラッシュメモリ１５は、例えば、制御部１１で行われる処理に利用される。
【００３６】
例えば、放送局２５からデジタル放送で映像コンテンツ（番組）が放送される。放送局２５から放送されたデジタル放送（放送番組）はチューナ３で受信され、選局処理が行われ、デジタル信号の映像コンテンツ（番組）が信号処理部４に送信される。
【００３７】
信号処理部４で受信されたデジタル信号の映像コンテンツは信号処理が施され、音声処理部６および映像処理部５に送信される。
【００３８】
音声処理部６は、信号処理が施された映像コンテンツを受信し、音声処理を施した信号をスピーカ９に送信する。
【００３９】
スピーカ９は、音声処理が施された信号を受信し、音声を出力する。
【００４０】
また、映像処理部５は、信号処理が施された映像コンテンツを受信し、映像処理を施した信号を表示装置７に送信する。
【００４１】
表示装置７は、映像処理が施された信号を受信し、ＬＣＤパネル等で構成される表示画面（映像表示部）８に映像を表示する。
【００４２】
また、この実施の形態においては、電子機器（テレビ）１は内部記憶装置１７を備えている。この内部記憶装置１７は、受信した放送番組を録画することが可能である。
【００４３】
また、この実施の形態においては、電子機器（テレビ）１は、上記のようにＵＳＢ接続やＬＡＮ接続される外部記憶機器に、上記受信された映像コンテンツ（放送番組）を記録することも可能である。
【００４４】
また、上記のように、電子機器（テレビ）１に対するユーザの操作は、例えばリモコン（リモートコントローラ）２１等の操作機器によって指示される。
【００４５】
これらの処理は、上記のように、制御部１１に制御される。
【００４６】
また、電子機器（テレビ）１は、送受信部（例えば、ＬＡＮ）２２、ルータ（インターネット）２６を介してＳＮＳサーバ２７に接続され、ソーシャル・ネットワーキング・サービス（ＳＮＳ）システムを構成することが可能である。
【００４７】
広義には、社会的ネットワークを構築できるサービスやウェブサイトであれば、ソーシャル・ネットワーキング・サービスまたはソーシャル・ネットワーキング・サイトと定義される。
【００４８】
この為、コメントやトラックバックなどのコミュニケーション機能を有しているブログもソーシャル・ネットワーキング・サービスに含まれる場合がある。
【００４９】
ここで、トラックバック（Ｔｒａｃｋｂａｃｋ）とは、ブログの主要機能の一つである。他人のブログの記事に自身のブログへのリンクを作成する機能のことである。
【００５０】
また、トラックバック機能を利用する行為自体を指すこともある。
【００５１】
また、ブログ（ｂｌｏｇ）は、狭義にはＷｏｒｌｄ  Ｗｉｄｅ  Ｗｅｂ上のウェブページのＵＲＬと共に、覚え書きや論評などを加え、ログ（記録）しているウェブサイトの一種である。「ＷｅｂをＬｏｇする」という意味でＷｅｂｌｏｇ（ウェブログ）と名付けられ、それが略されてＢｌｏｇ（ブログ）と呼ばれるようになったとも言われている。
【００５２】
また、狭義には、ソーシャル・ネットワーキング・サービスは、人と人とのつながりを促進・サポートする、コミュニティ型の会員制のサービスと定義される。このようなサービスを提供するウェブサイトも含まれる。
【００５３】
ソーシャル・ネットワーキング・サービスの目的は、人と人とのコミュニケーションにある。友人・知人間のコミュニケーションを促進する手段や場、あるいは趣味や嗜好、居住地域、出身校、「友人の友人」といった自身と直接関係のない他人との繋がりを通じて新たな人間関係を構築する場を提供している。
【００５４】
図３は、実施形態に係わる映像出力装置に用いられるリモートコントローラ（リモコン）の一例を示す図である。
【００５５】
図３に示すように、リモートコントローラ２１は、電源ボタン３０、テンキー３１、チャンネルアップダウンキー３２を備えている。これらのテンキー３１やチャンネルアップダウンキー３２は、放送受信チャンネルの切替え操作に用いられ、ここでは、これらのキーを、例えば、チャンネル切替えキーと呼ぶ。
【００５６】
また、この実施形態においては、リモートコントローラ２１は、「つぶやき」キー３３を備えている。
【００５７】
この「つぶやき」キー３３は、上記リモコン２１の専用キー（「つぶやき」キー）３３である。
【００５８】
そして、上記のように、ユーザによって、この「つぶやき」キー３３が押下操作されると、リモコン２１から電子機器（テレビ）１に向けて、所定のリモコン信号が出力される。
【００５９】
電子機器（テレビ）１は、このリモコン信号の受信に応じて、予め設定された投稿情報を取得し、この設定に基づいて、受信した放送番組の投稿情報を抽出し、ＳＮＳサーバ２７に向けて出力する。
【００６０】
図４は、実施形態に係わる電子機器（テレビ）の動作を説明する図である。
【００６１】
図４に示すように、電子機器（テレビ）１は、上記のように、ユーザが放送番組を視聴中に、例えば、リモコン２１の「つぶやき」キー３３を押下操作すると、現在視聴中の放送番組の投稿情報（例えば、番組情報等）を抽出し、ＳＮＳサーバ２７に向けて出力する。すなわち、番組情報等を追加して、自動的につぶやく。
【００６２】
図５は、実施形態に係わる電子機器（テレビ）の表示画面に出力される「投稿情報設定画面」を示す図である。
【００６３】
特に図示しないが、例えば、ユーザがリモコン２１を操作し、表示画面８に、図５に示すような「投稿情報設定画面」が出力される。
【００６４】
図５（ａ）は、例えば、「ＳＮＳの種類を選ぶ」画面である。
【００６５】
ここでは、選択可能なＳＮＳとして、「ＭＭＭ」５１ａ、「ＦＦＦＦ」５１ｂ、「ＴＴＴＴ」５１ｃが表示されている。
【００６６】
ここでは、図５（ａ）に示すように、「ＭＭＭ」５１ａが選択されている。
【００６７】
なお、選択の表示方法は上記に限られることはなく、例えば、５１ｄに示すようにすることも可能である。
【００６８】
図５（ｂ）は、例えば、「ＳＮＳサーバ２７に送信する情報を選ぶ」画面である。
【００６９】
ここでは、選択可能な送信情報として、視聴中番組の「番組名」５２ａ、視聴中番組の「放送時間」５２ｂ、視聴中番組の「放送チャンネル」５２ｃが表示されている。
【００７０】
ここでは、図５（ｂ）に示すように、視聴中番組の「番組名」５２ａ、視聴中番組の「放送時間」５２ｂ、視聴中番組の「放送チャンネル」５２ｃが選択されている。
【００７１】
なお、選択の表示方法は上記に限られることはなく、上記と同様に、例えば、５２ｄに示すようにすることも可能である。
【００７２】
図５（ｃ）は、例えば、上記投稿に「追加する言葉を選ぶ」画面である。
【００７３】
ここでは、投稿に追加する言葉として、「おもしろい」５３ａ、「見ています」５３ｂ、「カスタマイズ」５３ｃが表示されている。
【００７４】
ここでは、図５（ｃ）に示すように、「カスタマイズ」５３ｃが選択されている。
【００７５】
なお、選択の表示方法は上記に限られることはなく、上記と同様に、例えば、５３ｄに示すようにすることも可能である。
【００７６】
図５（ｄ）は、例えば、上記投稿に「追加する言葉を入力する」画面である。
【００７７】
ここでは、投稿に追加する言葉として、「たのしい」５４ａがユーザによって入力され、表示されている。
【００７８】
図６は、実施形態に係わる電子機器（テレビ）において、電子機器（テレビ）に「投稿情報」が設定される動作を示すフローチャートである。
【００７９】
ステップＳ１００は、ここでの開始ステップである。続いて、ステップＳ１０１に進む。
【００８０】
ステップＳ１０１は、電子機器（テレビ）１の電源をＯＮするステップである。続いて、ステップＳ１０２に進む。
【００８１】
ステップＳ１０２は、ユーザのリモコン２１操作に応じ、上記図５に示す「投稿情報設定画面」を表示画面８に出力するステップである。続いて、ステップＳ１０３に進む。
【００８２】
ステップＳ１０３は、投稿情報をユーザが指定するステップである。上記のように、例えば、「ＳＮＳの種類」、「ＳＮＳサーバ２７に送信する情報」、「追加する言葉」等である。続いて、ステップＳ１０４に進む。
【００８３】
ステップＳ１０４は、電子機器（テレビ）１に、上記投稿情報を設定するステップである。例えば、上記投稿情報は、フラッシュメモリ１５に記憶することも可能である。続いて、ステップＳ１０５に進む。
【００８４】
ステップＳ１０５は、終了ステップであり、ここでの処理は終了する。
【００８５】
図７は、実施形態に係わる電子機器（テレビ）において、設定された投稿情報に基づいて、受信した放送番組の投稿情報を抽出し、出力する動作を示すフローチャートである。
【００８６】
ステップＳ２００は、ここでの開始ステップである。続いて、ステップＳ２０１に進む。
【００８７】
ステップＳ２０１は、電子機器（テレビ）１の電源をＯＮにし、上記のように、放送番組を受信するステップである。続いて、ステップＳ２０２に進む。
【００８８】
ステップＳ２０２は、例えば、ユーザがリモコン２１の「つぶやき」キー３３を押下操作し、リモコン２１からリモコン信号が出力されるステップである。続いて、ステップＳ２０３に進む。
【００８９】
ステップＳ２０３は、電子機器（テレビ）１は、例えば、「つぶやき」キー３３が押下されたことにより、上記リモコン２１から出力されたリモコン信号を受信するステップである。続いて、ステップＳ２０４に進む。
【００９０】
ステップＳ２０５は、予め設定された信号、すなわち、「つぶやき」キー３３押下に伴う信号を受信したかを検出するステップである。上記信号の受信が検出される場合は、ステップＳ２０５に進む（Ｙｅｓ）。上記信号の受信が検出されない場合は、ステップＳ２１０に進む（Ｎｏ）。
【００９１】
ステップＳ２０５は、電子機器（テレビ）１に上記図５に示すような投稿情報が設定されているかを検出するステップである。上記投稿情報が設定されていることが検出される場合は、ステップＳ２０６に進む（Ｙｅｓ）。上記投稿情報が設定されていないことが検出される場合は、ステップＳ２０８に進む（Ｎｏ）。
【００９２】
ステップＳ２０６は、電子機器（テレビ）１が、予め設定された投稿情報を取得するステップである。例えば、上記図５に示すように、ＳＮＳは「ＭＭＭ」が、またこのＳＮＳに送信する送信情報は「番組名」、「放送時間」、「チャンネル」が指定され、設定されている。続いて、ステップＳ２０７に進む。
【００９３】
ステップＳ２０７は、上記設定に基づいて、上記受信した放送番組（ユーザが視聴中の放送番組）の投稿情報を抽出し、ＳＮＳサーバ２７に出力するステップである。
【００９４】
なお、上記「番組名」、「放送時間」、「チャンネル」等の情報は、例えば、上記受信した放送番組のＥＰＧ情報等から取得することが可能である。
【００９５】
上記ＥＰＧ情報の一つに、放送で放送番組の番組表が送信される電子番組表がある。
【００９６】
電子番組表は、放送局が放送する番組を、表形式でまとめた情報である。この電子番組表には、例えば、放送番組の名前と放送番組の開始・終了時刻等が記載される。また、出演者の名前、モノラル・ステレオ・二カ国語放送等の区別、字幕の有無、新番組か、特別番組か、映画やドラマなどの場合は制作された国や団体名と年、催し物情報等が記載されることがある。
【００９７】
続いて、ステップＳ２０９に進む。
【００９８】
ステップＳ２０８は、例えば、「投稿情報が設定されていません」等のメッセージを出力するステップである。続いて、ステップＳ２０９に進む。
【００９９】
ステップＳ２０９は、終了ステップであり、ここでの処理は終了する。
【０１００】
図８は、他の実施形態に係わる電子機器（テレビ）において、設定された投稿情報に基づいて、受信した放送番組の投稿情報を抽出し、出力する動作を示すフローチャートである。
【０１０１】
この実施形態においては、例えば、電子機器（テレビ）１が予め設定された所定動作（例えば、電源ＯＮ、チャンネル変更、リモコン２１のＳＮＳキー３３押下、電源ＯＦＦ等）の指示信号を受信した場合に、受信した放送番組（ユーザが視聴中の放送番組）の投稿情報を抽出し、ＳＮＳサーバ２７に出力する。
【０１０２】
ステップＳ３００は、ここでの開始ステップである。続いて、ステップＳ３０１に進む。
【０１０３】
ステップＳ３０１は、例えば、ユーザがリモコン２１を操作して電子機器（テレビ）１の電源をＯＮにし、所望の放送番組を受信するステップである。続いて、ステップＳ３０２に進む。
【０１０４】
ステップＳ３０２は、予め設定された信号の受信を検出するステップである。例えば、ユーザのリモコン２１操作に応じ、リモコン２１から出力されたリモコン信号の予め設定された信号の受信を検出する。
【０１０５】
上記ユーザのリモコン２１操作は、例えば、電源ＯＮ、チャンネル変更、リモコン２１のＳＮＳキー３３押下、電源ＯＦＦ等の操作である。続いて、ステップＳ３０３に進む。
【０１０６】
ステップＳ３０３は、上記信号（予め設定された信号）の受信を検出するステップである。上記信号（予め設定された信号）の受信が検出される場合は、ステップＳ３０４に進む（Ｙｅｓ）。上記信号（予め設定された信号）の受信が検出されない場合は、ステップＳ３０８に進む（Ｎｏ）。
【０１０７】
ステップＳ３０４は、例えば、上記図５に示すような投稿情報が、予め設定されているかを検出するステップである。投稿情報が予め設定されていると検出される場合は、ステップＳ３０５に進む（Ｙｅｓ）。投稿情報は予め設定されていないと検出される場合は、ステップＳ３０７に進む（Ｎｏ）。
【０１０８】
ステップＳ３０５は、電子機器（テレビ）1は、上記のように、予め設定された投稿情報を取得するステップである。ここで、予め設定された投稿情報とは、例えば、ＳＮＳは「ＭＭＭ」、送信情報は「番組名」、「放送時間」、「チャンネル」等の情報である。続いて、ステップＳ３０６に進む。
【０１０９】
ステップＳ３０６は、上記設定に基づいて、上記受信した放送番組の投稿情報を抽出し、ＳＮＳサーバ２７に出力するステップである。続いて、ステップＳ３０８に進む。
【０１１０】
ステップＳ３０７は、例えば、「投稿情報が設定されていません」等のメッセージを出力するステップである。続いて、ステップＳ３０８に進む。
【０１１１】
ステップＳ３０８は、終了ステップであり、ここでの処理は終了する。
【０１１２】
すなわち、この実施形態の電子機器（テレビ）１は、放送番組を受信する受信部（チューナ３等）を備える。
【０１１３】
また、予め設定された信号の受信を検出する信号受信検出部（制御部１１等）を備える。
【０１１４】
また、上記信号受信が検出された場合に、予め設定された投稿情報を取得する投稿情報取得部（制御部１１等）を備える。
【０１１５】
また、上記設定に基づいて、上記受信した放送番組の上記投稿情報を抽出し、出力する投稿情報出力部（制御部１１、送受信部２２等）を備える。
【０１１６】
また、上記予め設定された投稿情報を記憶する記憶部（フラッシュメモリ１５等）を備える。
【０１１７】
また、上記投稿情報が設定されているかを検出する設定検出部（制御部１１）を備える。
【０１１８】
また、第1の操作キー（例えば、つぶやきキー３３）を備え、上記第1の操作キーが操作された場合に、上記予め設定された信号を出力するリモートコントローラ２１から出力された信号を受信する（例えば、操作受信部２０、制御部１１）。
【０１１９】
また、上記予め設定された信号は、投稿指示、電源ＯＮ指示、受信チャンネル変更指示、電源ＯＦＦ指示のいずれかを含む。
【０１２０】
また、上記投稿情報を指定可能な指定部（図５、表示画面８に出力される投稿情報設定画面等）を備える。
【０１２１】
上記のように、この実施形態においては、上記のように設定を行なうことにより、電子機器（テレビ）１が自動的に投稿（Ｐｏｓｔｉｎｇ）する機能を備えるため、ユーザは、例えば、わざわざＰＣ等を使用しなくても、簡単に投稿することが可能になる。
【０１２２】
また、この実施形態の電子機器（テレビ）１においては、ユーザが、放送番組を視聴しているときに、ＳＮＳに投稿したい場合に、特に放送番組の視聴を中断することなく、投稿を行なうことが可能になる。
【０１２３】
また、上記ＳＮＳへの投稿の際に、例えば、視聴中の放送番組の番組情報等を抽出し、上記投稿に追加することが可能になる。
【０１２４】
また、他の実施形態として、例えば、電子機器（テレビ）１の電源をＯＮにすると、自動的に投稿されるようにしても良い。この場合、例えば、上記投稿に、「テレビ視聴中」等のコメントを追加しても良い。
【０１２５】
また、他の実施形態として、例えば、電子機器（テレビ）１の受信チャンネルが変更されると、自動的に投稿されるようにしても良い。この場合、例えば、上記投稿に、「チャンネルＸ視聴中」等のコメントを追加しても良い。
【０１２６】
また、他の実施形態として、例えば、電子機器（テレビ）１のリモコンの特定ボタンが押されると、自動的に投稿されるようにしても良い。この場合、例えば、上記投稿に、「ＸＸＸＸおもしろい！！」等のコメントを追加しても良い。
【０１２７】
また、他の実施形態として、例えば、電子機器（テレビ）１の電源がＯＦＦになると、自動的に投稿されるようにしても良い。この場合、例えば、上記投稿に、「ＴＶ面白かった」等のコメントを追加しても良い。
【０１２８】
これにより、ユーザは、放送番組の視聴を中断することなく投稿することが可能になる。また、ユーザの所定の動作（リモコンキー３３押下、電源キー３０押下等）に合わせ、投稿、すなわち、つぶやく内容を事前に設定することが可能になる。
【０１２９】
また、上記投稿する言葉も、事前にユーザの好みで設定することが可能になる。
【０１３０】
上記のように構成することによって、この実施の形態においては、ソーシャル・ネットワーキング・サービス（ＳＮＳ）システムの投稿（ｐｏｓｔｉｎｇ）機能を備える電子機器において、システム構成の煩雑さを低減することが可能になる。
【０１３１】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３２】
なお、上記実施形態は、記述そのものに限定されるものではなく、実施段階では、その趣旨を逸脱しない範囲で、構成要素を種々変形して具体化することが可能である。
【０１３３】
また、上記実施形態に開示されている複数の構成要素の適宜な組み合せにより種々の発明を形成できる。
【０１３４】
例えば、実施形態に示される全構成要素から幾つかの構成要素を削除してもよい。更に、異なる実施形態に亘る構成要素を適宜組み合せてもよい。
【符号の説明】
【０１３５】
１…電子機器（テレビ）、８…表示画面、３…チューナ、１１…制御部、１５…記憶部（フラッシュメモリ）、２０…操作受信部、２１…リモートコントローラ、２２…送受信部、３３…つぶやきキー。
【図１】
0005439535.tif 000002
【図２】
0005439535.tif 000003
【図３】
0005439535.tif 000004
【図４】
0005439535.tif 000005
【図５】
0005439535.tif 000006
【図６】
0005439535.tif 000007
【図７】
0005439535.tif 000008
【図８】
0005439535.tif 000009